(57)【要約】【課題】薄型に構成しながらグレーティングの取付位置及び角度等を調整でき取付状態を保持できるようにする。【解決手段】光ピックアップ７は、ベース２０の空間２０Ｃを上下方向に解放して薄型化すると共に、第２ホルダ３４に溝部Ｋ１Ｄ及びＫ２Ｄを有する受け部Ｋ１及びＫ２を設け、押当材３５の押当部Ｊ１及びＪ２が第２ホルダ３４の受け部Ｋ１及びＫ２とそれぞれ係合されることにより、グレーティング２２が組み込まれた第１ホルダ３３及び第２ホルダ３４を仮固定すると共に上下方向の位置を定め、第２ホルダ３４の水平方向の位置及び第１ホルダ３３の回転角度がそれぞれ調整され、接着剤等によって固定されることにより、全体を薄型に構成し得ると共に、グレーティング２２の取付位置及び取付角度を調整後の最適な状態に保持することができる。【選択図】図８
2010244631.tif 000002
【特許請求の範囲】
【請求項１】
光ビームを出射する光源が固定されたベースと、
上記ベースに固定され上記光ビームの光軸と略直交する支持面を有する第１支持体と、
上記ベースに固定され、上記光軸方向に関して上記第１支持体との間に所定間隔を形成する第２支持体と、
上記光ビームを回折させるグレーティングと、
上記グレーティングを保持し上記支持面に当接された第１ホルダと、
上記第１ホルダと当接し上記光軸を回転軸として当該第１ホルダを回転可能に保持すると共に、当該第１ホルダに当接する面と反対の非当接面に所定の立体形状でなる受け部が形成された第２ホルダと、
所定の立体形状でなる押当部と所定の取付部とを有し、上記取付部を介して上記第１支持体に取り付けられ、所定の弾性力により上記押当部を上記第２ホルダの上記受け部に押し当てて上記第２ホルダの移動方向を所定の第１方向に規制する押当材と
を有する光ピックアップ。
【請求項２】
上記受け部の上記立体形状及び上記押当部の上記立体形状は、
いずれか一方が他方へ向けて突出し上記第１方向に沿って稜線を形成する突出部分でなり、上記他方が上記第１方向に沿った略直線状の溝状部分でなる
請求項１に記載の光ピックアップ。
【請求項３】
上記第２ホルダの上記溝状部分は、
上記非当接面に、所定間隔を空けて互いの稜線が略平行となるよう突出した２本の山状部分により形成されている
請求項２に記載の光ピックアップ。
【請求項４】
上記押当材は、
所定の板状金属部材が加工されてなり、
上記突出部の上記稜線は、
上記板状金属部材が折曲加工されることにより形成されている
請求項３に記載の光ピックアップ。
【請求項５】
上記第２ホルダの上記溝状部分は、
上記第１方向に関し、上記山状部分の長さが上記突出部分における上記山状部分の長さよりも短い
請求項４に記載の光ピックアップ。
【請求項６】
上記第２ホルダの上記受け部及び上記押当材の上記押当部は、
上記光軸と略直交し上記第１方向と略平行な直交線上に配置されている
請求項１に記載の光ピックアップ。
【請求項７】
上記第２ホルダは、
上記光ビームの通過部分に通過孔が形成されると共に、上記非当接面における上記通過孔を挟む両側に上記受け部がそれぞれ形成されている
請求項６に記載の光ピックアップ。
【請求項８】
上記押当部は、
上記光ビームの通過部分を挟む両側に上記押当部がそれぞれ形成されている
請求項６に記載の光ピックアップ。
【請求項９】
上記光源は、発散光でなる上記光ビームを出射し、
上記ベースは、
上記発散光でなる上記光ビームを上記第１支持体及び上記第２支持体の順に通過させる
請求項１に記載の光ピックアップ。
【請求項１０】
光ビームを出射する光源が固定されたベースと、
上記ベースに固定され上記光ビームの光軸と略直交する支持面を有する第１支持体と、
上記ベースに固定され、上記光軸方向に関して上記第１支持体との間に所定間隔を形成する第２支持体と、
上記光ビームを回折させるグレーティングと、
上記グレーティングを保持し上記支持面に当接された第１ホルダと、
上記第１ホルダと当接し上記光軸を回転軸として当該第１ホルダを回転可能に保持すると共に、当該第１ホルダに当接する面と反対の非当接面に所定の立体形状でなる受け部が形成された第２ホルダと、
所定の立体形状でなる押当部と所定の取付部とを有し、上記取付部を介して上記第１支持体に取り付けられ、所定の弾性力により上記押当部を上記第２ホルダの上記受け部に押し当てて上記第２ホルダの移動方向を所定の第１方向に規制する押当材と、
上記ベースを光ディスクの半径方向に移動させる駆動部と
を有する光ディスク装置。
【発明の詳細な説明】
【技術分野】
【０００１】
本発明は光ピックアップ及び光ディスク装置に関し、例えば光ピックアップを搭載する光ディスク装置に適用して好適なものである。
【背景技術】
【０００２】
従来、光ディスク装置においては、光ディスクに対して光ビームを照射することにより情報を記録し、また当該光ディスクから得られる反射光を読み取ることにより情報を再生するようになされたものが広く普及している。
【０００３】
かかる光ディスク装置では、当該光ディスクの半径方向に移動し得る光ピックアップに、光ビームを出射するレーザダイオードや当該光ビームを光ディスクに集光させる対物レンズ等の光学部品が取り付けられている。
【０００４】
また近年では、光ディスク装置がいわゆるノート型コンピュータ等に搭載される場合等、小型化・薄型化を望まれることがある。実際には、厚さ約１２．７［ｍｍ］のいわゆるスリムドライブや、厚さ約９．５［ｍｍ］のいわゆるウルトラスリムドライブが製品化されている。
【０００５】
光ディスク装置では、一般に、薄型化の観点から、光ピックアップ内における光軸の進行方向を光ディスクとほぼ平行にする場合が多い。すなわち光ピックアップ内には、光ビームの光路に沿って各種光学部品が配置されることになる。
【０００６】
ところで光ディスク装置では、一般に、対物レンズの焦点と光ディスクにおける所望のトラックとのずれ量を表すトラッキングエラー信号を生成し、当該トラッキングエラー信号に基づき、いわゆるトラッキング制御が行われる。
【０００７】
光ピックアップのなかには、例えば３ビーム法（３スポット法）のように、グレーティングにより０次光ビーム及び±１次光ビームに回折させ、±１次光ビームを光ディスクにおける所望のトラックから所定間隔だけ離れた箇所に照射させるものがある。
【０００８】
このようにグレーティングを用いる光ピックアップでは、光軸に対するグレーティングの取付位置や取付角度等を高精度に調整し、また調整した取付状態を保持する必要がある。しかしながら光ピックアップでは、一般に、部品の取付位置や取付角度等を調整する（すなわち動かす）こととその取付状態を保持する（すなわち固定する）こととが相反する性質のものであるため、その両立が困難であった。
【０００９】
そこで光ピックアップのなかには、リーフスプリングを用いることにより、グレーティング（回折格子）の取付位置や取付角度等の調整を容易化し、且つ経時変化を最小限に止めるようになされたものが提案されている（例えば、特許文献１参照）。
【先行技術文献】
【特許文献】
【００１０】
【特許文献１】実開昭６３−６５２３号公報（第１図）
【発明の概要】
【発明が解決しようとする課題】
【００１１】
ところで、このような光ディスク装置に対して、さらなる小型化・薄型化（例えば厚さ約７〜８［ｍｍ］程度）が望まれる場合がある。
【００１２】
この場合、光ピックアップの厚さとしては、約２〜３［ｍｍ］に抑える必要がある。このため光ピックアップ枠体についても、例えば光学部品の上下部分を除去する等の対策が必要となる。
【００１３】
しかしながら上述した構成の光ピックアップでは、ピックアップ枠体とリーフスプリングとにより回折格子ホルダを上下方向から挟んで位置決めをしている。このため光ピックアップは、ピックアップ枠体における上下部分を除去してしまうと回折格子を正しく位置決めできなくなってしまう、という問題があった。
【００１４】
本発明は以上の点を考慮してなされたもので、薄型に構成しながらグレーティングの取付位置及び角度等を調整でき取付状態を保持できる光ピックアップ及び光ディスク装置を提案しようとするものである。
【課題を解決するための手段】
【００１５】
かかる課題を解決するため本発明の光ピックアップにおいては、光ビームを出射する光源が固定されたベースと、ベースに固定され光ビームの光軸と略直交する支持面を有する第１支持体と、ベースに固定され、光軸方向に関して第１支持体との間に所定間隔を形成する第２支持体と、光ビームを回折させるグレーティングと、グレーティングを保持し支持面に当接された第１ホルダと、第１ホルダと当接し光軸を回転軸として当該第１ホルダを回転可能に保持すると共に、当該第１ホルダに当接する面と反対の非当接面に所定の立体形状でなる受け部が形成された第２ホルダと、所定の立体形状でなる押当部と所定の取付部とを有し、取付部を介して第１支持体に取り付けられ、所定の弾性力により押当部を第２ホルダの受け部に押し当てて第２ホルダの移動方向を所定の第１方向に規制する押当材とを設けるようにした。
【００１６】
これにより本発明の光ピックアップは、押当部の稜部に作用する弾性力を、第２ホルダの溝部を介して第１ホルダに伝達することができると共に、当該稜部と当該溝部との係合により、第１方向と交差する方向に関して、第２ホルダの位置を定めることができる。さらに光ピックアップは、互いに当接する部品同士の摩擦力により仮固定しながら、微調整として、第１ホルダと一体にグレーティングを回転させると共に、グレーティング、第１ホルダ及び第２ホルダを第１方向に沿って移動させることができる。
【００１７】
また本発明の光ディスク装置においては、光ビームを出射する光源が固定されたベースと、ベースに固定され光ビームの光軸と略直交する支持面を有する第１支持体と、ベースに固定され、光軸方向に関して第１支持体との間に所定間隔を形成する第２支持体と、光ビームを回折させるグレーティングと、グレーティングを保持し支持面に当接された第１ホルダと、第１ホルダと当接し光軸を回転軸として当該第１ホルダを回転可能に保持すると共に、当該第１ホルダに当接する面と反対の非当接面に所定の立体形状でなる受け部が形成された第２ホルダと、所定の立体形状でなる押当部と所定の取付部とを有し、取付部を介して第１支持体に取り付けられ、所定の弾性力により押当部を第２ホルダの受け部に押し当てて第２ホルダの移動方向を所定の第１方向に規制する押当材と、ベースを光ディスクの半径方向に移動させる駆動部とを設けるようにした。
【００１８】
これにより本発明の光ディスク装置は、押当部の稜部に作用する弾性力を、第２ホルダの溝部を介して第１ホルダに伝達することができると共に、当該稜部と当該溝部との係合により、第１方向と交差する方向に関して、第２ホルダの位置を定めることができる。さらに光ディスク装置は、互いに当接する部品同士の摩擦力により仮固定しながら、微調整として、第１ホルダと一体にグレーティングを回転させると共に、グレーティング、第１ホルダ及び第２ホルダを第１方向に沿って移動させることができる。
【発明の効果】
【００１９】
本発明によれば、押当部の稜部に作用する弾性力を、第２ホルダの溝部を介して第１ホルダに伝達することができると共に、当該稜部と当該溝部との係合により、第１方向と交差する方向に関して、第２ホルダの位置を定めることができる。さらに本発明は、互いに当接する部品同士の摩擦力により仮固定しながら、微調整として、第１ホルダと一体にグレーティングを回転させると共に、グレーティング、第１ホルダ及び第２ホルダを第１方向に沿って移動させることができる。かくして本発明は、薄型に構成しながらグレーティングの取付位置及び角度等を調整でき取付状態を保持できる光ピックアップ及び光ディスク装置を実現できる。
【図面の簡単な説明】
【００２０】
【図１】光ディスク装置の構成（１）を示す略線図である。
【図２】光ディスク装置の構成（２）を示す略線的ブロック図である。
【図３】光ピックアップの構成（１）を示す略線的斜視図である。
【図４】光ピックアップの構成（２）を示す略線図である。
【図５】グレーティングの取付（１）の説明に供する略線的斜視図である。
【図６】第２ホルダの構成を示す略線的斜視図である。
【図７】押当材の構成を示す略線的斜視図である。
【図８】グレーティングの取付（２）の説明に供する略線図である。
【図９】従来の光ピックアップの構成（１）を示す略線図である。
【図１０】従来の光ピックアップの構成（２）を示す略線図である。
【図１１】他の実施の形態による第２ホルダ及び押当材の構成を示す略線的斜視図である。
【図１２】他の実施の形態による第２ホルダの構成を示す略線的斜視図である。
【図１３】他の実施の形態による押当材の構成を示す略線斜視図である。
【発明を実施するための形態】
【００２１】
以下、発明を実施するための形態（以下実施の形態とする）について、図面を用いて説明する。なお、説明は以下の順序で行う。
１．実施の形態（光ディスク装置・光ピックアップ）
２．他の実施の形態
【００２２】
＜１．実施の形態＞
［１−１．光ディスク装置の構成］
図１（Ａ）及び（Ｂ）に示すように、光ディスク装置１は、全体として薄型に構成されており、ＤＶＤ（Digital Versatile Disc）方式又はＣＤ（Compact Disc）方式でなる光ディスク１００を回転駆動させ、また所定の光ビームを照射し得るようになされている。因みに図１（Ａ）は上面図を示し、図１（Ｂ）は側面図を示している。
【００２３】
光ディスク装置１は、筐体部２にスピンドルモータ３が取り付けられており、当該スピンドルモータ３の出力軸にターンテーブル４が取り付けられている。ターンテーブル４は、所定のチャッキング機構により光ディスク１００を固定するようになされている。
【００２４】
また光ディスク装置１は、薄板状の上側カバー５及び下側カバー６の間で光ピックアップ７を光ディスク１００の内周側又は外周側へ移動させ得るようになされている。
【００２５】
光ピックアップ７は、可撓性のフレキシブルプリント基板８を介して、筐体部２に取り付けられた電子回路９と電気的に接続されており、移動された際にも電気的に接続された状態を維持し得るようになされている。
【００２６】
ところで光ディスク装置１は、全体の厚さが約７［ｍｍ］となっている。これに伴い光ディスク装置１では、光ディスク１００の下面から光ピックアップ７の下面までの距離ｔ１が約３〜４．５［ｍｍ］に制限されており、また光ピックアップ７の上下方向の厚さを表す距離ｔ２が約２〜３［ｍｍ］に制限されている。
【００２７】
因みに、光ディスク装置１全体の厚さが約９．５［ｍｍ］のいわゆるウルトラスリムドライブの場合には、距離ｔ１は約４．５〜６［ｍｍ］まで緩和され、距離ｔ２は約３．３〜４．２［ｍｍ］まで緩和される。さらに、光ディスク装置１全体の厚さが約１２．７［ｍｍ］のいわゆるスリムドライブの場合には、距離ｔ１は約６．５〜８［ｍｍ］まで緩和され、距離ｔ２は約５〜６［ｍｍ］まで緩和される。
【００２８】
図２は、光ディスク装置１のブロック構成を表す。電子回路９には、光ディスク装置１全体を統括制御する制御部１１、各種モータ等を駆動制御する駆動制御部１２及び各種信号を用いた演算処理等を行う信号処理部１３が設けられている。
【００２９】
制御部１１は、図示しないＣＰＵ(Central Processing Unit)と、各種プログラム等が格納されるＲＯＭ(Read Only Memory)と、当該ＣＰＵのワークメモリとして用いられるＲＡＭ(Random Access Memory)とによって構成されている。
【００３０】
実際上制御部１１は、各種プログラムを実行することにより、駆動制御部１２を介してスピンドルモータ３を回転駆動させ、ターンテーブル４に装着された光ディスク１００を所望の速度で回転させる。また制御部１１は、駆動制御部１２を介して送りモータ１４を駆動させることにより、リードスクリュー１４Ｓ及びスライドレール１４Ｌ等に沿って光ピックアップ７を光ディスク１００の内周側又は外周側へ向かう方向であるトラッキング方向に大きく移動させる。
【００３１】
さらに制御部１１は、駆動制御部１２を介して光ピックアップ７のアクチュエータ（図示せず）を駆動制御する。これにより駆動制御部１２は、対物レンズ１５を光ディスク１００に近接させ又は離隔させる方向であるフォーカス方向に移動させると共にトラッキング方向に細かく移動させ、当該対物レンズ１５の位置調整を行う。
【００３２】
実際上制御部１１は、光ディスク１００が装填されると、まず所定のディスク種別判定処理を行うことにより当該光ディスク１００がいずれの方式であるかを判定する。その後制御部１１は、このときの判定結果を基に、光ディスク１００の方式に応じた各処理を行うようになされている。
【００３３】
制御部１１は、例えば光ディスク１００に情報を記録する場合、当該情報を信号処理部１３へ供給して所定の符号化処理及び変調処理等を施すことにより、当該情報に応じたレーザ制御信号を生成し、これを光ピックアップ７へ供給する。
【００３４】
光ピックアップ７は、信号処理部１３から供給されるレーザ制御信号に基づき、レーザダイオードから光強度が比較的大きい情報記録用の光ビームＬを出射する。続いて光ピックアップ７は、位置調整された対物レンズ１５を介して当該光ビームＬを光ディスク１００へ照射する。これにより光ピックアップ７は、当該光ディスク１００に情報を記録することができる。
【００３５】
また制御部１１は、光ディスク１００から情報を再生する場合、信号処理部１３から光ピックアップ７へレーザ制御信号を供給する。これにより、光ピックアップ７のレーザダイオードは、光ディスク１００に対して光強度が比較的小さい情報再生用の光ビームＬを照射する。これと共に光ピックアップ７は、当該光ビームＬが反射されてなる反射光ビームＬＲをフォトディテクタにより検出し、その検出結果に応じた検出信号Ｕを生成し信号処理部１３へ供給する。
【００３６】
信号処理部１３は、検出信号Ｕを基に所定の演算処理を行うことによりフォーカスエラー信号ＳＦＥを算出し、これを駆動制御部１２へ送出する。また信号処理部１３は、検出信号を基に３ビーム法に従った演算処理を行うことによりトラッキングエラー信号ＳＴＥを算出し、これを駆動制御部１２へ送出する。
【００３７】
駆動制御部１２は、フォーカスエラー信号ＳＦＥ及びトラッキングエラー信号ＳＴＥを基にアクチュエータ（図示せず）を制御し、対物レンズ１５のフォーカス制御及びトラッキング制御を行う。
【００３８】
さらに信号処理部１３は、検出信号Ｕを基に再生ＲＦ信号ＳＲＦを生成し、これに所定の復調処理や復号化処理等を施すことにより、光ディスク１００に記録されている情報を再生し得るようになされている。
【００３９】
このように光ディスク装置１は、光ピックアップ７における対物レンズ１５の位置調整を行った上で、当該対物レンズ１５を介して光ビームＬを光ディスク１００へ照射することにより、情報の記録又は再生を行い得るようになされている。
【００４０】
［１−２．光ピックアップの構成］
光ピックアップ７は、図３に外観図を示すように、ベース２０に多数の光学部品が組み込まれることにより構成されている。また図４は、光ピックアップ７の各光学部品の配置を模式的に表している。
【００４１】
２波長ＬＤ（レーザダイオード）２１は、ＤＶＤ方式に対応した波長約６６０［ｎｍ］の光ビームＬＤ又はＣＤ方式に対応した波長約７８０［ｎｍ］でなる光ビームＬＣを切り替えて出射し得るようになされている。以下、これらをまとめて光ビームＬと呼ぶ。
【００４２】
制御部１１は、光ディスク１００の方式を判別した上で、その判別結果に応じたレーザ制御信号を２波長ＬＤ２１へ供給する。これにより２波長ＬＤ２１は、光ディスク１００の方式に対応した波長でなる光ビームＬを出射し、グレーティング２２へ入射させる。因みに光ビームＬは、例えばＰ偏光の発散光として出射される。
【００４３】
グレーティング２２は、光ビームＬを回折させることにより、０次の回折光でなる光ビームＬ０並びに±１次の回折光でなる光ビームＬ１ｐ及びＬ１ｍに分離し、それぞれをプリズム２３へ入射させる。
【００４４】
なお光ピックアップ７内では、実際には光ビームＬ０並びに光ビームＬ１ｐ及びＬ１ｍが互いの光軸を僅かに離隔させた状態で進行するが、いずれもほぼ同様の光路を進行する。このため図４等においては、説明の都合上、光ビームＬ０を光ビームＬとして示し、光ビームＬ１ｐ及びＬ１ｍについては表示を省略している。
【００４５】
プリズム２３は、入射される光ビームの偏光方向に応じて異なる割合で当該光ビームを反射又は透過する反射透過面２３Ｓを有している。例えば反射透過面２３Ｓは、Ｐ偏光の光ビームの一部を所定の割合で反射すると共にその残りを透過し、またＳ偏光の光ビームをほぼ全て反射するようになされている。
【００４６】
実際上プリズム２３は、光ビームＬの一部を反射してモニタ光ビームＬＭとし、これをＦＰＤ（フロントモニタフォトディテクタ）２４へ入射させる。ＦＰＤ２４は、モニタ光ビームＬＭの光量を検出し、その光量に応じたフロントモニタ信号ＳＦＭを生成して制御部１１へ送出する。
【００４７】
このとき制御部１１は、フロントモニタ信号ＳＦＭを基に、２波長ＬＤ２１から実際に出射される光ビームＬの光量が所望の値となるよう、レーザ制御信号を調整する。すなわち制御部１１は、フロントモニタ信号ＳＦＭを用いて光ビームＬの光量をフィードバック制御する。
【００４８】
またプリズム２３は、光ビームＬの残り部分を透過して１／４波長板２５へ入射させる。１／４波長板２５は、光ビームＬをＰ偏光から例えば左円偏光に変換してコリメータレンズ２６へ入射させる。
【００４９】
コリメータレンズ２６は、光ビームＬを発散光から平行光に変換し、立上プリズム２７へ照射する。立上プリズム２７は、光ビームＬを反射することにより、当該光ビームＬの進行方向を光ディスク１００と略平行な水平方向から当該光ディスク１００へ向かう垂直方向、すなわち上方向（図３）へ立ち上げ、対物レンズ１５へ入射させる。
【００５０】
対物レンズ１５は、光ビームＬを集光し、光ディスク１００（図２）の記録面に照射させる。このとき光ビームＬの光強度が比較的大きい場合、光ディスク１００の記録面には、光ビームＬの照射パターンに応じた記録マークが形成され、情報として記録される。
【００５１】
また光ビームＬの光強度が比較的小さい場合、光ビームＬは、記録面で反射されることにより反射光ビームＬＲとなる。このとき反射光ビームＬＲは、反射時に円偏光における回転方向が反転されるため右円偏光となり、さらに記録面で一度焦点を結ぶため発散光となり、元の光ビームＬの光路を反対方向である下方向（図３）へ進行し、対物レンズ１５へ入射される。
【００５２】
反射光ビームＬＲは、対物レンズ１５により平行光に変換され、立上プリズム２７に反射されて水平方向へ進行し、コリメータレンズ２６により収束光に変換され、１／４波長板２５により直線偏光（Ｓ偏光）に変換され、プリズム２３へ入射される。
【００５３】
プリズム２３は、Ｓ偏光でなる反射光ビームＬＲを反射透過面２３Ｓによって反射し、ＳＥＮＳレンズ２９へ入射させる。ＳＥＮＳレンズ２９は、反射光ビームＬＲを集光し、フォトディテクタ３０へ照射させる。
【００５４】
フォトディテクタ３０は、複数の検出領域が設けられており、各検出領域によりそれぞれ受光量に応じた検出信号Ｕを生成し信号処理部１３（図２）へ送出する。
【００５５】
このように光ピックアップ７は、制御部１１の制御に基づき、２波長ＬＤ２１から出射した光ビームＬをグレーティング２２により回折させた上で、光ディスク１００に照射するようになされている。
【００５６】
［１−３．グレーティングの取付］
次に、光ピックアップ７のベース２０に対するグレーティング２２の取付について説明する。
【００５７】
［１−３−１．各部品の構成］
グレーティング２２は、図５に示すように、複数の部品を介してベース２０に取り付けられるようになされている。因みに図５は、図３の一部を拡大すると共に部品ごとに分解した状態を示しており、ベース２０については一部分のみを示している。
【００５８】
ベース２０には、２波長ＬＤ２１が取り付けられる箇所の近傍に、グレーティング２２を取り付けるための空間２０Ｃが設けられている。空間２０Ｃは、上下方向に解放され、２波長ＬＤ２１が取り付けられる側の側壁が第１支持体３１となっており、また当該第１支持体３１と対向する側壁が第２支持体３２となっている。
【００５９】
なお以下では、光ビームＬの進行方向に沿って前方向及び後方向を定義した上で説明する。
【００６０】
第１支持体３１は、ベース２０の一部が上方向へ延設されることにより、光ビームＬの光軸と略直交するような板状に形成されると共に、略中央に設けられた孔部３１Ｈに光ビームＬを通過させるようになされている。また第１支持体３１における後面３１Ａには、その上側部分が後ろ方向へ盛り上がることにより段差部３１ＡＥが形成されている。
【００６１】
また第１支持体３１の前面３１Ｃにおける下端部分には、一部が前方向へ突出した突出部３１ＣＥが形成されている。
【００６２】
第２支持体３２は、第１支持体３１と同様、ベース２０の一部が上方向へ延設されることにより、光ビームＬの光軸と略直交するような板状に形成されると共に、略中央に設けられた孔部３２Ｈに光ビームＬを通過させるようになされている。
【００６３】
また第２支持体３２は、その後面３２Ａが光ビームＬの光軸と略直交する平面状に形成されている。
【００６４】
かかる空間２０Ｃには、第１支持体３１及び第２支持体３２の間に、第１ホルダ３３、第２ホルダ３４及び押当材３５が組み込まれるようになされている。
【００６５】
第１ホルダ３３は、全体的として短い円柱状の本体部３３Ａを中心に構成されており、また本体部３３Ａの後面３３ＡＱには、当該円柱よりも短径でなり同軸の略円筒状でなる円筒部３３Ｂが後方へ向けて延設されている。
【００６６】
本体部３３Ａの内部には、略円盤状でなるグレーティング２２が組み込まれ、当該グレーティング２２を保持するようになされている。本体部３３Ａの前面３３ＡＰは、平面状に形成されると共に、その中央にグレーティング２２を組み込むため及び光ビームＬを通過させるための孔部３３ＡＨ（図示せず）が形成されている。また円筒部３３Ｂは、前後方向に貫通する孔部３３ＢＨにより光ビームＬを通過させるようになされている。
【００６７】
第２ホルダ３４は、図５及び図６（Ａ）に示すように、第１ホルダ３３の円筒部３３Ｂよりも大きい外形でなる円板の前側に当該円板と同等の外径でなる円筒を延設したような形状となっている。
【００６８】
この第２ホルダ３４は、第１ホルダ３３と組み合わされることを前提に設計されており、当該第２ホルダ３４の内周面３４Ｒが、第１ホルダ３３における円筒部３３Ｂの外周面３３ＢＲよりも僅かに大きくなっている。
【００６９】
また第２ホルダ３４における円筒部分の前面３４Ｐ及び円板部分の前面３４Ｓは、第１ホルダ３３における本体部３３Ａの後面３３ＡＱ及び円筒部３３Ｂの後端面３３ＢＱとそれぞれ対応するようになされている。
【００７０】
さらに第２ホルダ３４の後面３４Ｑにおける上下方向の中央部分に、すなわち孔部３４Ｈの真横であり、光ビームＬが通過する際の光軸と略同等の高さとなる位置に、受け部Ｋ１及びＫ２が形成されている。
【００７１】
図６（Ｂ）に拡大図を示すように、受け部Ｋ１は、後面３４Ｑに水平方向へ伸びる略三角柱状の突出部Ｋ１Ｂ及びＫ１Ｃが互いに上下に隣接して配置されている。すなわち突出部Ｋ１Ｂ及びＫ１Ｃは、後面３４Ｑから後方向へ向けて山状に突出しており、その頂上部分により稜線Ｋ１ＢＲ及びＫ１ＣＲをそれぞれ形成している。
【００７２】
これにより受け部Ｋ１は、突出部Ｋ１Ｂ及びＫ１Ｃの間に、すなわち稜線Ｋ１ＢＲ及びＫ１ＣＲの間に、水平方向に渡って溝部Ｋ１Ｄが形成されている。これと同様に受け部Ｋ２には、同様の突出部Ｋ２Ｂ及びＫ２Ｃ（図示せず）の間に、水平方向に渡って溝部Ｋ２Ｄが形成されている。
【００７３】
押当材３５は、図５及び図７に示すように、例えばステンレス等でなる１枚の薄い金属板が折り曲げ加工されることにより、前側から見てＵ字を上下反転したような形状となっている。
【００７４】
この押当材３５は、略水平な上面部３５Ａを中心に構成されており、当該上面部３５Ａの後ろ側には、下方向へ向けて後面部３５Ｂが延設されている。さらに当該後面部３５Ｂの下端には、前方向へ向けて後係合部３５Ｃが短く延設されている。
【００７５】
一方上面部３５Ａの前側には、下方向へ向けて前面部３５Ｄが延設されている。前面部３５Ｄは、比較的上側の部分において、中央部分を空けるように左側の左前面部３５Ｄ１及び右側の右前面部３５Ｄ２に分岐されている。
【００７６】
左前面部３５Ｄ１及び右前面部３５Ｄ２の下端部分には、それぞれ後方向へ向けて前係合部３５Ｅ１及び３５Ｅ２が短く延設されている。
【００７７】
さらに左前面部３５Ｄ１及び右前面部３５Ｄ２は、上下方向における略中央となる部分が折り曲げ加工されることにより、前方向へ突出する押当部Ｊ１及びＪ２がそれぞれ形成されている。
【００７８】
押当部Ｊ１及びＪ２は、それぞれの頂上部分に水平方向へ伸びる稜線Ｊ１Ｒ及びＪ２Ｒを有している。
【００７９】
また押当材３５は、弾性材料である金属板で構成されるため、外力が加えられた場合、自然状態（すなわち図５及び図７に示す状態）に戻ろうとする復元力が作用する。
【００８０】
［１−３−２．各部品の組立］
光ピックアップ７は、ベース２０にグレーティング２２が組み込まれる際、図８（Ａ）〜（Ｃ）に示すように、まずベース２０の第１支持体３１に押当材３５が取り付けられる。
【００８１】
押当材３５は、上面部３５Ａの背面が第１支持体３１の上面３１Ｂ（図５）に当接され、後係合部３５Ｃが段差部３１ＡＥ（図５）に係合され、前係合部３５Ｅ１及び３５Ｅ２がそれぞれ突出部３１ＣＥ（図５）に係合される。
【００８２】
このとき押当材３５は、第１支持体３１に対する取付位置が固定されるものの、上下中央の押当部Ｊ１及びＪ２が当該第１支持体３１から浮き上がるため、前後方向に弾性力を作用させ得る状態となる。
【００８３】
また第１ホルダ３３及び第２ホルダ３４は、第１ホルダ３３の円筒部３３Ｂに第２ホルダ３４が被さるように組み合わされた上で、第２支持体３２と押当材３５との間に挿入される。
【００８４】
さらに第１ホルダ３３及び第２ホルダ３４は、ベース２０に対する上下方向の位置が調整されることにより、受け部Ｋ１及びＫ２の溝部Ｋ１Ｄ及びＫ２Ｄに対し、押当部Ｊ１及びＪ２の稜線Ｊ１Ｒ及びＪ２Ｒがそれぞれ係合される。
【００８５】
このとき押当材３５の左前面部３５Ｄ１及び右前面部３５Ｄ２は、押当部Ｊ１及びＪ２において後方向への外力を受け、弾性力の作用により、受け部Ｋ１及びＫ２に対し前方向へ向かう力を加える。
【００８６】
第２ホルダ３４は、受け部Ｋ１及びＫ２を介して受けた前方向への力を、第１ホルダ３３へ印加する。これにより第１ホルダ３３は、第２支持体３２に押し当てられることになる。
【００８７】
すなわち押当材３５は、第１ホルダ３３及び第２ホルダ３４を一体として、第２支持体３２に対し前方向に押し当てる。このとき第２支持体３２は、その反作用として、第１ホルダ３３に対し後方向への力を作用させることになる。
【００８８】
ところで押当部Ｊ１及びＪ２の稜線Ｊ１Ｒ及びＪ２Ｒ並びに受け部Ｋ１及びＫ２の溝部Ｋ１Ｄ及びＫ２Ｄは、いずれも水平方向に延長されている。このため第１ホルダ３３及び第２ホルダ３４は、押当材３５に対して上下方向へは移動され得ず、水平方向に移動され得る。
【００８９】
因みに第２ホルダ３４及び押当材３５は、図８（Ａ）に示すように、水平方向に関し、押当部Ｊ１における稜線Ｊ１Ｒの幅ＷＪよりも受け部Ｋ１における溝部Ｋ１Ｄの幅ＷＫが狭められている。
【００９０】
これにより第２ホルダ３４は、水平方向に位置調整される際に、押当部Ｊ１における頂点Ｊ１Ｇ１及びＪ１Ｇ２（図７）が溝部Ｋ１Ｄから常にはみ出た状態となり、当該頂点Ｊ１Ｇ１及びＪ１Ｇ２が当該溝部Ｋ１Ｄの内側面に引っかかることを防止している。
【００９１】
また第１ホルダ３３は、第２支持体３２との間で、押当材３５からの弾性力が伝達されることによる摩擦力が作用する。このため第１ホルダ３３及び第２ホルダ３４は、この摩擦力により、比較的強い外力が加えられたときには移動されるものの比較的弱い外力が加えられたときには移動しない、いわば仮固定された状態となる。
【００９２】
さらに第２ホルダ３４の内周面３４Ｒは、第１ホルダ３３における円筒部３３Ｂの外周面３３ＢＲと当接する。また第２ホルダ３４（図６（Ａ））における円筒部分の前面３４Ｐ及び円板部分の前面３４Ｓは、第１ホルダ３３における本体部３３Ａ（図５）の後面３３ＡＱ及び円筒部３３Ｂの後端面３３ＢＱとそれぞれ当接する。
【００９３】
このような当接状態により、第２ホルダ３４は、第１ホルダ３３に対し、光ビームＬの光軸と略平行な回転軸を中心に回転することができ、また各当接部分の摩擦力により仮固定された状態となる。
【００９４】
実際上光ピックアップ７は、２波長ＬＤ２１から光ビームＬを出射させた状態で、所定の治具等により光ビームを受光しながら、グレーティング２２の調整作業が行われるようになされている。
【００９５】
具体的に光ピックアップ７は、グレーティング２２が組み込まれた第１ホルダ３３の第２ホルダ３４に対する回転角度が調整されると共に、押当材３５に対する第２ホルダ３４の水平方向の位置が調整される。その後第２ホルダ３４及び第１ホルダ３３は、仮固定された状態のまま所定の接着剤等を用いて接着固定される。
【００９６】
かくして光ピックアップ７は、その組立工程において、第１ホルダ３３、第２ホルダ３４及び押当材３５の組み合わせによりグレーティング２２を仮固定しながら、当該グレーティング２２の回転角度及び水平方向の位置が調整されるようになされている。
【００９７】
［１−４．動作及び効果］
以上の構成において、光ディスク装置１の光ピックアップ７は、グレーティング２２が取り付けられる際、まずベース２０の第１支持体３１に対し押当材３５が取り付けられる。
【００９８】
このとき押当材３５は、上面部３５Ａの背面が第１支持体３１の上面３１Ｂに当接し、前係合部３５Ｅ１及び３５Ｅ２がそれぞれ第１支持体３１の突出部３１ＣＥに係合されることにより、ベース２０に対し固定される。
【００９９】
次に光ピックアップ７は、グレーティング２２が組み込まれた第１ホルダ３３の円筒部３３Ｂに第２ホルダ３４が被さるように組み合わされ（図５）、当該第１ホルダ３３及び第２ホルダ３４が空間２０Ｃにおける第２支持体３２と押当材３５との間に挿入される。
【０１００】
第１ホルダ３３及び第２ホルダ３４は、受け部Ｋ１及びＫ２の溝部Ｋ１Ｄ及びＫ２Ｄに対し、押当部Ｊ１及びＪ２の稜線Ｊ１Ｒ及びＪ２Ｒをそれぞれ係合させるよう、ベース２０に対する上下方向の位置が調整される（図８（Ｂ）及び（Ｃ））。
【０１０１】
続いて第１ホルダ３３は、グレーティング２２と一体に回転されることにより、第２ホルダ３４に対する回転角度が調整される。また第２ホルダ３４は、受け部Ｋ１及びＫ２と押当部Ｊ１及びＪ２との係合状態を維持したまま、第１ホルダ３３と一体に、水平方向の位置が調整される。
【０１０２】
このとき押当材３５は、弾性力の作用により、第２ホルダ３４に対し前方向へ向かう力を作用させる。これに応じて第２ホルダ３４は、第１ホルダ３３に対し前方向へ向かう力を作用させる。
【０１０３】
このため第２支持体３２と第１ホルダ３３との間、及び第１ホルダ３３と第２ホルダ３４との間には、それぞれ摩擦力が作用する。この結果押当材３５は、第１ホルダ３３及び第２ホルダ３４をそれぞれ調整後の状態で仮固定する。
【０１０４】
その後光ピックアップ７は、第１ホルダ３３及び第２ホルダ３４が仮固定されたままの状態で所定の接着剤等により固定される。
【０１０５】
これにより光ピックアップ７は、第１ホルダ３３に組み込まれたグレーティング２２を、ベース２０に対する取付位置及び取付角度が調整された状態で固定することができる。
【０１０６】
ここで、光ピックアップ７と対応する従来の光ピックアップ４７を、図８（Ａ）及び（Ｂ）とそれぞれ対応する図９（Ａ）及び（Ｂ）に示す。
【０１０７】
光ピックアップ４７は、光ピックアップ７と比較して、ベース２０、第２ホルダ３４及び押当材３５に代わるベース５０、第２ホルダ５４及び押当材５５がそれぞれ設けられている点が相違している。
【０１０８】
ベース５０は、ベース２０の空間２０Ｃと対応する空間５０Ｃの下面に底面部５０Ｂが形成されており、その一部に第１ホルダ３３及び第２ホルダ５４の位置調整を行うための孔部５０ＣＨが設けられている。
【０１０９】
第２ホルダ５４は、第２ホルダ３４と対比して、受け部Ｋ１及びＫ２を有していない点が相違している。押当材５５は、押当材３５と対比して、左前面部３５Ｄ１及び右前面部３５Ｄ２とそれぞれ対応する左前面部５５Ｄ１及び右前面部５５Ｄ２を有しており、さらに前方向へ突出した前突出部５５Ｄ３を有している。
【０１１０】
すなわち押当材５５は、左前面部５５Ｄ１及び右前面部５５Ｄ２の押当部Ｊ１及びＪ２により第２ホルダ５４を前方向へ押し付け、前突出部５５Ｄ３の弾性力により第２ホルダ３４を下方向へ押し付ける。
【０１１１】
このとき第２ホルダ５４は、第１ホルダ３３と一体に下側の底面部５０Ｂに押し付けられることにより、上下方向の位置が定められ、また水平方向に位置調整された上で仮固定される。
【０１１２】
このように従来の光ピックアップ４７では、底面部５０Ｂを用いて第２ホルダ５４を位置決めしていたため、ベース５０から当該底面部５０Ｂを省略することができず、薄型化の阻害要因となっていた。
【０１１３】
これに対し本発明の光ピックアップ７（図８）では、第２ホルダ３４に受け部Ｋ１及びＫ２を設けて押当部Ｊ１及びＪ２と係合させている。
【０１１４】
これにより光ピックアップ７では、第１ホルダ３３及び当該第２ホルダ３４を上下方向に位置決めしながら水平方向に調整させることができ、さらに調整後の状態のまま仮固定することができる。
【０１１５】
このため光ピックアップ７は、ベース２０における空間２０Ｃに底面部５０Ｂのような構造を設ける必要がなく、薄型化を図ることができる。
【０１１６】
また、光ピックアップ７と対応する従来の光ピックアップ６７を、図４との対応部分に同一符号を付した図１０に示す。
【０１１７】
光ピックアップ６７は、２波長ＬＤ２１に対応するＬＤチップ７１、グレーティング２２、プリズム２３、ＦＰＤ２４、ＳＥＮＳレンズ２９及びフォトディテクタ３０が一体化されることにより、いわゆる集積型の集積モジュール７０が構成されている。
【０１１８】
因みにＦＰＤ２４及びフォトディテクタ３０は、フレキシブルプリント基板７２により配線されている。また集積モジュール７０から出射された光ビームＬは、ミラー７３により反射された上でコリメータレンズ２６、１／４波長板２５及び立上プリズム２７を順次介して対物レンズ１５へ入射される。
【０１１９】
この集積モジュール７０は、極めて局所的なスペースに複数の光学素子を集積してマウントしているため、ベアチップの実装設備等、高度且つ複雑な製造設備が必要となり、また集積に伴う精度等の問題が生じるおそれもある。
【０１２０】
これに対し光ピックアップ７（図８）は、従来の光ピックアップ４７（図９）と同様の光学部品を多数利用している。
【０１２１】
第２ホルダ３４は、従来の第２ホルダ５４と対比して、受け部Ｋ１及びＫ２を設けるだけで良いため、例えば金型を加工するだけで、従来とほぼ同様の製造工程により比較的容易に製造することができる。
【０１２２】
また押当材３５は、従来の押当材５５と形状は相違するものの、加工の程度としては同様であるため、やはり従来とほぼ同様の製造工程により比較的容易に製造することができる。
【０１２３】
さらにベース２０は、空間２０Ｃの下方が完全に解放されているため、第１ホルダ３３及び第２ホルダ３４の水平方向に関する位置や回転角度の調整作業における作業性を低下させることがない。
【０１２４】
すなわち光ピックアップ７は、第２ホルダ３４及び押当材３５を用いることによる製造工程や調整工程が殆ど複雑化されることなく、従来の光ピックアップ４７とほぼ同程度の容易さで製造及び調整されることが可能となる。
【０１２５】
かくして光ピックアップ７は、比較的簡易な構成により第１ホルダ３３及び第２ホルダ３４を仮固定しながら、グレーティング２２の取付位置及び取付角度を精度良く調整し得ると共に、全体を薄型に構成することができる。
【０１２６】
以上の構成によれば、光ディスク装置１の光ピックアップ７は、ベース２０の空間２０Ｃを上下方向に解放して薄型化すると共に、第２ホルダ３４に溝部Ｋ１Ｄ及びＫ２Ｄを有する受け部Ｋ１及びＫ２を設けた。光ピックアップ７は、押当材３５の押当部Ｊ１及びＪ２が第２ホルダ３４の受け部Ｋ１及びＫ２とそれぞれ係合されることにより、グレーティング２２が組み込まれた第１ホルダ３３及び第２ホルダ３４を仮固定すると共に上下方向の位置を定める。その後光ピックアップ７は、第２ホルダ３４の水平方向の位置及び第１ホルダ３３の回転角度がそれぞれ調整され、接着剤等によって固定される。この結果光ピックアップ７は、全体を薄型に構成し得ると共に、グレーティング２２の取付位置及び取付角度を調整後の最適な状態に保持することができる。
【０１２７】
＜２．他の実施の形態＞
なお上述した実施の形態においては、第２ホルダ３４に受け部Ｋ１及びＫ２を設け、押当材３５に押当部Ｊ１及びＪ２を設けるようにした場合について述べた。
【０１２８】
本発明はこれに限らず、例えば図５の一部と対応する図１１に示すように、第２ホルダ３４に押当部Ｊ１及びＪ２を設けると共に、押当材３５に受け部Ｋ１及びＫ２を設けるようにしても良い。要は、押当部Ｊ１及びＪ２と受け部Ｋ１及びＫ２との係合により、第２ホルダ３４が前方向へ押し付けられて仮固定され、且つ押当材３５に対する第２ホルダ３４の位置が上下方向に定められると共に水平方向へ調整され得れば良い。
【０１２９】
また上述した実施の形態においては、受け部Ｋ１において、略三角柱状の突出部Ｋ１Ｂ及びＫ１Ｃ（図６（Ｂ））を互いに上下に隣接して配置することにより溝部Ｋ１Ｄを形成するようにした場合について述べた。
【０１３０】
本発明はこれに限らず、例えば図５の一部と対応する図１２に示すように、第２ホルダ３４の後面３４Ｑが溝状にえぐられたような受け部Ｋ１を形成する等しても良い。また溝の断面形状としては、例えば半円形状やＵ字状等であっても良い。受け部Ｋ１としては、要は水平方向に延長された溝状の形状が形成されていれば良い。受け部Ｋ２についても同様である。
【０１３１】
さらには、図１１に示したように押当材３５に受け部Ｋ１及びＫ２を設ける場合についても、図１３に示すように、押当材３５の左前面部３５Ｄ１及び右前面部３５Ｄ２の一部を後方向へ凹ませることにより溝部をそれぞれ設けるようにしても良い。
【０１３２】
さらに上述した実施の形態においては、水平方向に関し、押当部Ｊ１における稜線Ｊ１Ｒの幅ＷＪよりも受け部Ｋ１における溝部Ｋ１Ｄの幅ＷＫを狭めるようにした場合について述べた（図８（Ａ））。
【０１３３】
本発明はこれに限らず、例えば押当部Ｊ１における頂点Ｊ１Ｇ１及びＪ１Ｇ２（図７）に対し面取り加工等が施されている場合に、溝部Ｋ２Ｄの幅ＷＫを稜線Ｊ１Ｒの幅ＷＪと同等若しくはそれ以上としても良い。要は、頂点Ｊ１Ｇ１及びＪ１Ｇ２が受け部Ｋ１に引っかかることを防止し、第２ホルダ３４の水平方向に関する位置調整をスムーズに行い得れば良い。押当部Ｊ２及び受け部Ｋ２についても同様である。
【０１３４】
さらに上述した実施の形態においては、押当材３５をステンレス等の金属材料により構成するようにした場合について述べた。本発明はこれに限らず、例えば銅等の種々の金属や樹脂材料により押当材３５を構成するようにしても良い。要は、押当材３５が、第２ホルダ３４に対して弾性力を作用させ得れば良い。
【０１３５】
さらに上述した実施の形態においては、第２ホルダ３４に対し、上下方向に関して光ビームＬの光軸とほぼ同等の高さとなる位置に受け部Ｋ１を設ける場合について述べた。
【０１３６】
本発明はこれに限らず、第２ホルダ３４に対し、例えば上下方向に関して光ビームＬの光軸の上側や下側となる位置に受け部Ｋ１を設けるようにしても良い。また受け部Ｋ２については、受け部Ｋ１と結合しても良く、或いは当該受け部Ｋ１と相違する高さに配置するようにしても良い。この場合、押当材３５の押当部Ｊ１及びＪ２は、第２ホルダ３４における受け部Ｋ１及びＫ２の位置と対応するよう配置されていれば良い。
【０１３７】
さらに上述した実施の形態においては、押当材３５の前係合部３５Ｅ１及び３５Ｅ２を突出部３１ＣＥに係合させ、後係合部３５Ｃを段差部３１ＡＥに係合させることにより、当該押当材３５を第１支持体３１に固定するようにした場合について述べた（図８）。
【０１３８】
本発明はこれに限らず、例えば押当材３５の後係合部３５Ｃのみを用いる等、種々の手法により当該押当材３５を第１支持体３１に固定するようにしても良い。
【０１３９】
さらに上述した実施の形態においては、第２ホルダ３４の外形を略円筒状（すなわち略円柱状）とするようにした場合について述べた（図５）。本発明はこれに限らず、第２ホルダ３４の外形としては、略直方体状や略６角柱状等、種々の形状としても良い。要は、内周面３４Ｒが第１ホルダ３３における円筒部３３Ｂの外周面３３ＢＲと対応した形状に形成され、当該第１ホルダ３３を回転させ得るようになされていれば良い。
【０１４０】
さらに上述した実施の形態においては、２種類の波長（すなわち約６６０［ｎｍ］及び約７８０［ｎｍ］）の光ビームＬを切り替えて出射する２波長ＬＤ２１を光源として用いる場合について述べた。
【０１４１】
本発明はこれに限らず、光ディスク装置１が対応する光ディスク１００の方式に応じて、例えば単一の波長を出射するレーザダイオードや３種類以上の波長を切り替えて出射するレーザダイオード等を光源として用いるようにしても良い。すなわち光ディスク装置１としては、ＤＶＤ方式及びＣＤ方式の光ディスク１００のみに限らず、例えばさらにＢＤ（Ｂｌｕ−ｒａｙ  Ｄｉｓｃ、登録商標）方式等の光ディスク１００にも対応するようにしても良い。
【０１４２】
さらに上述した実施の形態においては、グレーティング２２に対し発散光でなる光ビームＬを入射させるようにした場合について述べた。本発明はこれに限らず、平行光や収束光でなる光ビームＬを入射させるようにしても良い。
【０１４３】
さらに上述した実施の形態においては、光ディスク装置１が光ディスク１００に対し情報の記録処理及び再生処理の双方を行うようにした場合について述べた。本発明はこれに限らず、例えば光ディスク装置１が光ディスク１００から情報の再生処理のみを行うようにしても良い。
【０１４４】
さらに上述した実施の形態においては、ベースとしてのベース２０と、第１支持体としての第１支持体３１と、第２支持体としての第２支持体３２と、グレーティングとしてのグレーティング２２と、第１ホルダとしての第１ホルダ３３と、第２ホルダとしての第２ホルダ３４と、押当材としての押当材３５とによって光ピックアップとしての光ピックアップ７を構成する場合について述べた。
【０１４５】
しかしながら本発明はこれに限らず、その他種々の構成でなるベースと、第１支持体と、第２支持体と、グレーティングと、第１ホルダと、第２ホルダと、押当材とによって光ピックアップを構成するようにしても良い。
【０１４６】
さらに上述した実施の形態においては、ベースとしてのベース２０と、第１支持体としての第１支持体３１と、第２支持体としての第２支持体３２と、グレーティングとしてのグレーティング２２と、第１ホルダとしての第１ホルダ３３と、第２ホルダとしての第２ホルダ３４と、押当材としての押当材３５と、駆動部としての駆動制御部１２及び送りモータ１４によって光ディスク装置としての光ディスク装置１を構成する場合について述べた。
【０１４７】
しかしながら本発明はこれに限らず、その他種々の構成でなるベースと、第１支持体と、第２支持体と、グレーティングと、第１ホルダと、第２ホルダと、押当材と、駆動部とによって光ディスク装置を構成するようにしても良い。
【産業上の利用可能性】
【０１４８】
本発明は、種々の光ディスクに情報を記録し、また種々の光ディスクから情報を再生する種々の光ディスク装置でも利用できる。
【符号の説明】
【０１４９】
１……光ディスク装置、７……光ピックアップ、１１……制御部、１２……駆動制御部、１３……信号処理部、１４……送りモータ、２１……２波長ＬＤ、２２……グレーティング、２３……プリズム、２８……対物レンズ、３０……フォトディテクタ、３１……第１支持体、３２……第２支持体、３３……第１ホルダ、３４……第２ホルダ、３５……押当材、Ｊ１、Ｊ２……押当部、Ｊ１Ｒ、Ｊ２Ｒ……稜線、Ｋ１、Ｋ２……受け部、Ｋ１Ｄ、Ｋ２Ｄ……溝部、１００……光ディスク、Ｌ……光ビーム。
【図１】
2010244631.tif 000003
【図２】
2010244631.tif 000004
【図３】
2010244631.tif 000005
【図４】
2010244631.tif 000006
【図５】
2010244631.tif 000007
【図６】
2010244631.tif 000008
【図７】
2010244631.tif 000009
【図８】
2010244631.tif 000010
【図９】
2010244631.tif 000011
【図１０】
2010244631.tif 000012
【図１１】
2010244631.tif 000013
【図１２】
2010244631.tif 000014
【図１３】
2010244631.tif 000015